(57)【要約】【課題】カウンタに取り付けられ、ノンリンスハンドトレートメント製品を使用するために適当であって、その使用を促進せしめる分与装置を提供する。【解決手段】分与装置は、カウンタＣに取り付けられる。容器ＢはカウンタＣの下に保持されて、一定量のノンリンスハンドトレートメント製品Ｆを入れている。保持プラットフォーム１４はカウンタＣの上面に載置されていると共に、供給栓１２が保護プラットフォーム１４の上方に位置している出口２０を有する。ポンプＰは容器Ｂ内の一定量のノンリンスハンドトレートメント製品Ｆに連通していると共に、分与導管２２は供給栓１２を通して延びて、ポンプＰと供給栓の出口２０との間を連通し、ポンプＰをプランジャ２４又は非接触式分与センサ２６により駆動せしめることによりノンリンスハンドトレートメント製品Ｆを出口２０から保護プラットフォーム１４に向かって分与せしめる。【選択図】図２
2009142651.tif 000002
【特許請求の範囲】
【請求項１】
カウンタに取り付けられる分与装置において、
前記カウンタの下に保持されて、一定量のノンリンスハンドトレートメント製品を入れている容器と、
この容器内の一定量のノンリンスハンドトレートメント製品に連通しているポンプと、
前記カウンタの上面に載置されている保護プラットフォームと、
この保護プラットフォームの上方に位置している出口を有する供給栓と、
この供給栓を通して延びて、前記ポンプと前記供給栓の前記出口との間を連通している分与導管と、
を包含し、前記ポンプの作動により前記ノンリンスハンドトレートメント製品を前記出口から分与せしめるようにしたことを特徴とする分与装置。
【請求項２】
請求項１記載の分与装置において、更に、前記保護プラットフォームに形成した取付け穴を包含し、前記カウンタが前記取付け穴に整列した貫通穴を包含すると共に、前記供給栓が前記取付け穴及び前記貫通穴を通して延びている延長部を包含することを特徴とする分与装置。
【請求項３】
請求項１記載の分与装置において、更に、前記ノンリンスハンドトレートメント製品を分与せしめるために前記ポンプを駆動せしめるプランジャを包含することを特徴とする分与装置。
【請求項４】
請求項１記載の分与装置において、更に、前記ノンリンスハンドトレートメント製品を分与せしめるために前記ポンプを駆動せしめるセンサを包含することを特徴とする分与装置。
【請求項５】
請求項１記載の分与装置において、前記保護プラットフォームが、くぼんだたまり部を有すると共に、ドレン管を備えていないことを特徴とする分与装置。
【請求項６】
請求項１記載の分与装置において、前記保護プラットフォームが凹部を有し、前記供給栓の前記出口が前記凹部の上方に位置していることを特徴とする分与装置。
【請求項７】
請求項１記載の分与装置において、更に、分与装置を前記カウンタの縁に取り付けるクランプ機構を包含することを特徴とする分与装置。
【発明の詳細な説明】
【技術分野】
【０００１】
本発明は、一般には、カウンタ取付け型溶液分与装置に関し、より詳細には、ノンリンス溶液と一緒に使用するようにしているカウンタ保護プラットフォームを有する分与ステーションを提供するカウンタ取付け型溶液分与装置に関する。
【背景技術】
【０００２】
石けん及び他のハンドトレートメント製品のための分与装置は、しばしば、給水栓を有する洗面台のくぼんだ水たまり部に隣接して取り付けられ、使用者は自分の手を洗面台で洗浄することができる。これらの分与装置において、石けん又は他のハンドトレートメント製品は使用者の手に分与され、洗面台の給水栓を使用することにより洗い落とされる。洗面台に隣接して取り付けられる種々の型式の分与装置が提供されており、これらの分与装置には製品を分与するために物理的に操作しなければならない分与装置及び非接触式センサを介して製品を分与せしめる分与装置が含まれる。これらの分与装置は、種々のポンプ機構を用いることができる。幾つかの例が、米国特許出願公開第２００７／００１７９３２号に記載されている。
【０００３】
洗面台に隣接して取り付けられている分与装置を備えている洗面台は、人の手をトレートメントするために非常に適当なステーションを提供する。更に、汚物及び石けん又は他のハンドトレートメント製品のしずくは洗面台の水たまり部内に入り、カウンタの表面が不必要に汚されるのを防止する。洗面台の水たまり部はドレン管を包含し、給水栓を作動せしめることにより、水たまり部内のハンドトレートメント製品をドレン管の下へ洗い落とすことができる。
【０００４】
ノンリンスハンドトレートメント製品は水で洗い落す必要がなく、したがって、ノンリンスハンドトレートメント製品の分与装置は典型的に洗面台の水たまり部に隣接して取り付けられない。その代わりに、ノンリンスハンドトレートメント製品は典型的に持ち運び可能な容器の中又は壁取付け型の分与器の中に入れられている。ノンリンスハンドトレートメント製品は、当分野において一般的に知られており、人の手から洗い落とす必要がないハンドトレートメント製品からなる。ローションの消毒液は、非常に代表的な例である。
【発明の開示】
【発明が解決しようとする課題】
【０００５】
本発明は、カウンタに取り付けられる分与装置であって、ノンリンスハンドトレートメント製品を使用するために非常に適当な分与装置を提供することを目的とする。したがって、本発明はノンリンスハンドトレートメント製品の使用を促進せしめるのに非常に適当な分与装置を提供することを目的とする。
【課題を解決するための手段】
【０００６】
本発明は、カウンタに取り付けられる分与装置であって、容器が前記カウンタの下に保持されて、一定量のノンリンスハンドトレートメント製品を入れている分与装置を提供する。本発明によれば、保持プラットフォームが前記カウンタの上面に載置されていると共に、供給栓が前記保護プラットフォームの上方に位置している出口を有する。ポンプが前記容器内の一定量のノンリンスハンドトレートメント製品に連通していると共に、分与導管が前記供給栓を通して延びて、前記ポンプと前記供給栓の前記出口との間を連通し、前記ポンプの作動により前記ノンリンスハンドトレートメント製品を前記出口から前記保護プラットフォームに向かって分与せしめる。
【発明を実施するための最良の形態】
【０００７】
図１〜図３を参照するに、本発明の第１実施例による分与装置が符号１０により総括的に示されている。分与装置１０は、分与ステーションとも称することができ、カウンタＣにしっかりと取り付けられる。分与装置１０は給水栓の如き供給栓１２を包含し、この供給栓１２はカウンタＣの上面に載置されている保護プラットフォーム１４の上方に延びるように取り付けられている。保護プラットフォーム１４は、好適には、くぼんだたまり部１６を包含する。たまり部１６は、簡単には、保護プラットフォーム１４の上面１８の一部分に流し台の如く形成されている凹部である。たまり部１６は供給栓１２の出口２０に整列され、したがってたまり部１６は供給栓１２の出口２０からの流体Ｆのいかなるしずくをも受け止める。分与導管又はチューブ２２は、その一端で供給栓１２の出口２０に連通していると共に、供給栓１２の中を延びてカウンタＣを通過し、ポンプ又はポンプ機構Ｐに連通している。ポンプＰは、好適には、カウンタ取付け型分与装置の分野において一般的に実施されているように、カウンタＣの下に保持されて見えない。ポンプＰは、知られている方法で、例えば、プランジャ２４の押下げ、又は非接触式分与センサ２６の作動、又は当分野において一般的に知られている他の手段により、駆動される。なお、本発明は流体Ｆを分与するためにポンプＰを駆動せしめる方法に特別に関しているものではなく、したがって、これらのポンプ、プランジャ、非接触式分与センサに基づいた分与機構及びそれらの代替手段は当業者に知られているものであって、これらは本発明の特徴とするところではない。
【０００８】
ポンプＰが駆動されると、流体Ｆを容器Ｂから分与導管２２を通して出口２０にまで進める。保護プラットフォーム１４が使用されたときに、保護プラットフォーム１４が使用者の手から洗い落とされる製品を排出するものではないので、流体Ｆはノンリンスハンドトリートメント製品に選択される。本発明の分与装置において使用される流体は、手消毒液、ローション、日焼け止め、ノンリンスハンドクリーナ及び同種物であるが、しかし、これらの製品に限定されるものではない。これらの種類のノンリンス製品は洗い落とされることを目的としているものではないので、これらの製品は典型的に持ち運び可能な又は壁取付け型の分与装置において用いられる。本発明によれば、製品を非常に新しい方法で最終使用者に対して提供することができ、先行技術の一般的な、洗面台に隣接して取り付けられる分与装置に似るようにすることができる。たまり部は、カウンタを保護し、また、最終使用者が使用のために一回分の量のノンリンス製品を得ることができるステーションを提供する。ノンリンス製品を対象としているので、保護プラットフォーム１４はドレン管を備えていなくてもよい。このような非常に適当で新しい分与装置１０を提供することにより、ノンリンス製品の使用がオファーされることを促進せしめる。手消毒液の場合には、本発明の分与装置の使用は所定の病院、店などの施設における手の衛生を非常に増大せしめることができる。
【０００９】
図３を参照するに、供給栓１２がカウンタＣの貫通穴Ｈに整列している、保護プラットフォームＣの取付け穴３０を通して延びる延長部２８を包含することを見ることができる。この延長部２８は、任意の公知の所望する方法によりポンプＰ又は容器Ｂ若しくはその両方に取り付けられる。この延長部２８は、プランジャ２４を介してポンプＰを駆動せしめる要素又は非接触式分与センサ２６を介してポンプＰを駆動せしめる要素を担持することができる。図３において、上記米国特許出願公開第２００７／００１７９３２号に記載されている構体と同じ構体が特別に示されているけれども、すでに上述したように、本発明はこのような特別なポンプ、容器又は供給栓の構体及びそれらの相互作用又は作動に、若しくはこれらにより限定されるものではない。図３において、容器支持体Ｓは、カウンタＣより上の要素をカウンタＣより下の要素に取り付ける。より詳細には、上記米国特許出願公開第２００７／００１７９３２号に記載されているように、容器支持体Ｓは延長部２８と、ポンプＰ及び容器Ｂに取り付けられているカラーキーＫとに取り付けられ、また、非接触式分与センサ２６は、ポンプＰを駆動せしめるために、バッテリーＴにより駆動される歯車装置Ｇを前進せしめるように駆動される。
【００１０】
次に図４を参照するに、本発明の第２の実施例による分与装置が符号１１０により総括的に示されている。この実施例において、分与装置１１０は容易に持ち運びすることができて、カウンタＣの縁に取り付けることができる。第１の実施例による分与装置１０と同じように、分与装置１１０は保護プラットフォーム１１４の上方に延びるように取り付けられている分与供給栓１１２を包含し、保護プラットフォーム１１４はカウンタＣの上面に載置されるようにされている。容器Ｂ内のポンプＰを駆動せしめるために、プランジャ１２４又は非接触式分与センサ機構（図示せず）を用いることができる。この実施例においては、供給栓１１２の延長部１２８が、分与装置１１０をカウンタＣの縁に取り付けるために、クランプ機構１３２を支持するようにしている。保護プラットフォーム１１４、より詳細には、そのくぼんだたまり部１１６は、供給栓１１２の延長部１２８がカウンタＣの縁を越えてカウンタＣの下へ下向きに延びるように、カウンタＣの上面に載置されている。クランプ板１３４は穴１３６を包含し、この穴１３６を通して延長部１２８が延びている。このクランプ板１３４は、クランプナット１３８の手段によりカウンタＣの底部に向かって前進させられる。延長部１２８は、クランプナット１３８のねじと相互作用するためにねじが切られている。分与装置１１０は、カウンタＣが保護プラットフォーム１１４とクランプ板１３４との間にクランプされることにより、カウンタＣに取り付けられる。したがって、カウンタの上面に穴を形成することなしに本発明による分与装置を使用することができる、他の適当な構体の技術がここに明らかになったであろう。
【００１１】
本発明により提供される特有の進歩について注意が適当に集まるようにするために、本発明に関係する要素のみが詳細に述べられた。ポンプ機構の他の要素が当分野において一般的に知られているものであり、これらの他の要素も所望する型式のポンプ機構及び容器のために採用することができるものである。特許法の規定にしたがって本発明の好適な実施例についてのみ上述したけれども、本発明はこのような特定の実施例に又はこれにより限定されるものではなく、本発明の真の範囲は特許請求の範囲の記載から明らかになるものである。
【図面の簡単な説明】
【００１２】
【図１】本発明の第１の実施例による分与装置の一部分をカウンタの上方から見て示す斜視図である。
【図２】図１の分与装置の側面図であって、カウンタの上下の両位置に設けられている部分を示す。
【図３】図１及び図２の分与装置の分解図である。
【図４】本発明の第２の実施例による分与装置の斜視図である。
【符号の説明】
【００１３】
１０  分与装置
１２  供給栓
１４  保護プラットフォーム
１６  たまり部
１８  上面
２０  出口
２２  分与導管
２４  プランジャ
２６  非接触式分与センサ
２８  延長部
３０  取付け穴
１１０  分与装置
１１２  供給栓
１１４  保護プラットフォーム
１１６  たまり部
１２４  プランジャ
１２８  延長部
１３２  クランプ機構
１３４  クランプ板
１３６  穴
１３８  クランプナット
Ｂ  容器
Ｃ  カウンタ
Ｆ  流体（ノンリンスハンドトリートメント製品）
Ｇ  歯車装置
Ｈ  貫通穴
Ｋ  カラーキー
Ｐ  ポンプ
Ｓ  容器支持体
Ｔ  バッテリー
【図１】
2009142651.tif 000003
【図２】
2009142651.tif 000004
【図３】
2009142651.tif 000005
【図４】
2009142651.tif 000006